(57)【要約】【課題】湿気の浸入による腐食と故障が防止される回路装置を創作する。【解決手段】回路板（１４）と組み合わされたパワーモジュール（１２）を有する回路装置（１０）であって、パワーモジュールと回路板が冷却体（１６）とプレス装置（１８）の間に設けられ、押付接触要素により互いに押付接触されていて、パワーモジュールが少なくとも１つのモジュールプレート要素（２２）とハウジング（２４）を有し、このハウジングが押付接触要素用の竪穴を備えて形成されていて、それらの押付接触要素がパワーモジュールの少なくとも１つのモジュールプレート要素と接触されていて、回路板の方を向いたハウジングの底面から出口開口部より外に通じている、回路装置において、回路板とハウジングの底面との間にシーリング面要素（３２）が設けられていて、このシーリング面要素が押付接触要素用の穴を備えて形成されていること。【選択図】図１
2008124455.tif 000002
【特許請求の範囲】
【請求項１】
回路板（１４）と組み合わされたパワーモジュール（１２）を有する回路装置（１０）であって、パワーモジュール（１２）と回路板（１４）が冷却体（１６）とプレス装置（１８）の間に設けられ、押付接触要素（２８）により互いに押付接触されていて、更にパワーモジュール（１２）が少なくとも１つのモジュールプレート要素（２２）とハウジング（２４）を有し、このハウジング（２４）が押付接触要素（２８）用の竪穴（２６）を備えて形成されていて、それらの押付接触要素（２８）がパワーモジュール（１２）の少なくとも１つのモジュールプレート要素（２２）と接触されていて、回路板（１４）の方を向いたハウジング（２４）の底面（３０）から出口開口部（４０）より外に通じている、前記回路装置において、
回路板（１４）とハウジング（２４）の底面（３０）との間にシーリング面要素（３２）が設けられていて、このシーリング面要素（３２）が押付接触要素（２８）用の穴（３４）を備えて形成されていることを特徴とする回路装置。
【請求項２】
シーリング面要素（３２）が、ハウジング（２４）の底面（３０）の縁寸法に対応する外側寸法をもって形成されていることを特徴とする、請求項１に記載の回路装置。
【請求項３】
シーリング面要素（３２）がプラスチックフィルムにより形成されていることを特徴とする、請求項１に記載の回路装置。
【請求項４】
ハウジング（２４）の底面（３０）が、その外縁（３６）に沿い、周回する縁密閉リブ（３８）を有することを特徴とする、請求項１に記載の回路装置。
【請求項５】
周回する縁密閉リブ（３８）がハウジング（２４）の材料から成ることを特徴とする、請求項４に記載の回路装置。
【請求項６】
周回する縁密閉リブ（３８）が可撓性材料から成り、ハウジング（２４）の底面（３０）に設けられていることを特徴とする、請求項４に記載の回路装置。
【請求項７】
ハウジング（２４）の底面（３０）が、押付接触要素（２８）用に設けられている竪穴（２６）の出口開口部（４０）の回りに開口部密閉リブ（４２）を備えて形成されていることを特徴とする、請求項１に記載の回路装置。
【請求項８】
開口部密閉リブ（４２）が個々の出口開口部（４０）及び／又は出口開口部（４０）のグループに付設されていることを特徴とする、請求項７に記載の回路装置。
【請求項９】
開口部密閉リブ（４２）がハウジング（２４）の材料から成ることを特徴とする、請求項７又は８に記載の回路装置。
【請求項１０】
開口部密閉リブ（４２）が可撓性材料から成り、ハウジング（２４）の底面に設けられていることを特徴とする、請求項７又は８に記載の回路装置。
【発明の詳細な説明】
【技術分野】
【０００１】
本発明は、回路板と組み合わされたパワーモジュールを有する回路装置に関し、この際、パワーモジュールと回路板は冷却体とプレス装置の間に設けられ、互いに押付接触されていて、この際、パワーモジュールは少なくとも１つのモジュールプレート要素とハウジングを有し、このハウジングは押付接触要素用の竪穴を備えて形成されていて、それらの押付接触要素は少なくとも１つのモジュールプレート要素と接触されていて、パワーモジュールを回路板と接触させるために、回路板の方を向いたハウジングの底面から出口開口部より外に通じている。
【背景技術】
【０００２】
この種の回路装置では、例えば結露を合間に伴う極端な湿気のような極端な気候条件下で回路装置の故障が起こることを、信頼性をもって排除することはできない。この種の故障は、回路モジュール、押付接触要素、及び/又は回路板の腐食に特に起因する。
【発明の開示】
【発明が解決しようとする課題】
【０００３】
本発明の基礎を成す課題は、簡単な手段を用い、パワーモジュール、押付接触要素、及び／又は回路板の腐食が防止され、腐食の結果として起こる回路装置の故障が回避される、冒頭に掲げた形式の回路装置を創作することである。
【課題を解決するための手段】
【０００４】
前記の課題は、冒頭に掲げた形式の回路装置において、本発明に従い、回路板（導体プレート）とこの回路板の方をむいたハウジングの底面（基本面）との間にシーリング面要素が設けられていて、このシーリング面要素が押付接触要素用の穴を備えて形成されていることにより解決される。
【０００５】
回路板とパワーモジュールのハウジングの底面との間のシーリング面要素を使い、湿気の浸入が防止され、従って、回路板、押付接触要素、及び／又はパワーモジュールにおける腐食が回避されるという長所が得られる。従って本発明に従う回路装置は最適の信頼性或いは稼動特性をもつ。
【０００６】
合目的にシーリング面要素は、本発明に従う回路装置において、ハウジングの底面の縁寸法に対応する外側寸法、即ちハウジングの底面に寸法的に適合された外側寸法をもって形成されている。
【０００７】
シーリング面要素は好ましくはプラスチックフィルムにより形成されている。このフィルムとしては例えばＰＴＦＥフィルムであり、このＰＴＦＥフィルムは−２０℃と＋２６０℃の間の温度範囲内で使用可能であり、耐酸性、耐アルカリ性、耐揮発油性、耐油性、更には不燃性であり、従って燃焼挙動ＵＬ９４ＶＯに対応する。
【０００８】
当然のことであるがシーリング面要素は別の適切な材料からも成り得る。
【０００９】
良好なシーリング特性は、本発明に従う回路装置において、ハウジングの底面が、その外縁に沿い、周回する縁密閉リブを有すると達成される。本発明に従う回路装置が組み立てられた状態でこの周回する縁密閉リブはシーリング面要素内に圧入されていて、それにより最適のシーリング特性が達成される。
【００１０】
周回する縁密閉リブはハウジングの材料から成り、即ちハウジング材料をもって一部材式で形成され得る。別の可能性は、この周回する縁密閉リブが可撓性材料から成り、ハウジングの底面に設けられているということにある。後者の形式のこの種の縁密閉リブは例えばハウジングの底面に対して後から押し付けられ得る。また別の可能性はハウジングを２Ｋ射出法で製造することにあり、この際、ハウジングは硬質コンポーネントから成り、縁密閉リブは可撓性コンポーネント即ち可撓性材料から成る。
【００１１】
周回する縁密閉リブがハウジング材料をもって一部材式で同じ材料から製造されるか、縁密閉リブが可撓性材料から成り且つハウジングが形状安定性の硬質材料から成るに依存せず、周回する縁密閉リブにより、ハウジングの底面とこれに隣接し且つシーリング面要素により離間されている回路板との間の良好なシーリングが得られる。
【００１２】
更に改善されたシーリング特性は、本発明に従う回路装置において、ハウジングの底面が、押付接触要素用に設けられている竪穴の出口開口部の回りに開口部密閉リブを備えて形成されていることで得られる。これらの開口部密閉リブは個々の出口開口部及び／又は出口開口部のグループに付設され得る。この際、これらの開口部密閉リブは、ハウジングの底面の外縁の回りを周回する縁密閉リブのようにハウジングの材料から成り得て、ハウジングと一体的に形成され得る。又はこれらの開口部密閉リブは可撓性材料から成り、ハウジングの底面に設けられ得る。開口部密閉リブは、この際、縁密閉リブのようにハウジングの底面に対して押し付けられ得る、又は２Ｋ射出法で共通のプラスチック射出プロセス中に実現され得る。
【００１３】
回路板とハウジングの底面との間のシーリング面要素により、既に説明したように、良好なシーリングが得られ、その結果、回路板、押付接触要素、及び／又はパワーモジュールの腐食が回避される。回路装置が組み立てられた状態でシーリング面要素内に密閉するように圧入された周回する縁密閉リブ或いは開口部密閉リブにより、回路装置のシーリングが遥かに改善される。従って本発明に従い形成された回路装置は、湿気に起因する、回路板、押付接触要素、及び／又はパワーモジュールの腐食に対して最適の特性をもつ。
【発明を実施するための最良の形態】
【００１４】
他の詳細、特徴、長所は、図面内で概要として明確にされた本発明に従う回路装置或いはその本質的な個々の部材の実施例に関する以下の記載から明らかとなる。
【００１５】
図１は、概要的に部分的な側面図としてパワーモジュール１２を有する回路装置１０を明確にしていて、そのパワーモジュール１２は回路板（導体プレート）１４と組み合わされている。パワーモジュール１２と回路板１４は、部分的に図示された冷却体１６とプレス装置１８の間に設けられていて、互いに周知の方式で押付接触／プレッシャーコンタクトされている。パワーモジュール１２と回路板１４のプレッシングのためにはプレス装置１８が冷却体１６と緊張固定される。この緊張固定は、例えば図１で一点鎖線２０により概要的に示唆にされている少なくとも１つのネジを使って行われる。
【００１６】
パワーモジュール１２は周知の方式で少なくとも１つのモジュールプレート要素２２と杯（コップ）形状のハウジング２４を有する。杯形状のハウジング２４は竪穴２６（図２、３、５、８、９を参照）を備えて形成されている。これらの竪穴２６は、同様に図２、３、５、９で明確にされているように押付接触要素２８用に設けられている。これらの押付接触要素２８は、回路板１４と少なくとも１つのモジュールプレート要素２２の押付接触のために設けられている。
【００１７】
パワーモジュール１２と回路板１４の間で確実なシーリングをもたらすために、回路板１４と、この回路板１４の方を向いた好ましくは杯形状に形成されているハウジング２４の底面（基本面）３０との間にはシーリング面要素３２が設けられている。このシーリング面要素３２は押付接触要素２８用の穴３４（特に図６、７を参照）を備えて形成されている。図５ではこれらの穴３４の１つが明確にされている。
【００１８】
図２、４、８、９から見てとれるように杯形状のハウジング２４の底面３０は、その外縁３６に沿い、周回する縁密閉リブ３８を備えて形成されている。対応する縁密閉リブ３８が図３でも明確にされている。
【００１９】
回路装置１０が組み立てられた状態でシーリング面要素３２内に圧入されている縁密閉リブ３８を使い、主としてシーリング面要素３２によりもたらされる回路装置１０のシーリングの改善が得られ、その結果、湿気の浸入、及びその結果として起こる、回路板１４、押付接触要素２８、及び／又はモジュールプレート要素２２の腐食が防止される。このシーリングは、杯形状のハウジング２４の底面３０が、押付接触要素２８用に設けられている竪穴２６の出口開口部４０（図５、８、９を参照）の回りに開口部密閉リブ４２を備えて形成されていることで更に改善される。これらの開口部密閉リブ４２は、図２に示されているように個々の出口開口部４０に付設され得る、又は図３、８、９に示されているように出口開口部４０のグループに付設され得る。これらの開口部密閉リブ４２により、湿気の浸入、及びそれに起因する、回路板１４、少なくとも１つのモジュールプレート要素２２、及び押付接触要素２８の腐食、及びこれらの部材間の腐食に対する回路装置１０のシーリングの更なる改善が得られる。
【００２０】
図６及び図７は、押付接触要素２８（図９を参照）用の穴３４と共に、シーリング面要素３２の実施形態を立体的に及び俯瞰図として示している。
【００２１】
図８及び図９は、押付接触要素２８用の竪穴２６と、ハウジング２４の底面３０の外縁３６の回りを周回する縁密閉リブ３８と、竪穴２６或いは竪穴２６の出口開口部のグループの回りをグループごとに周回する開口部密閉リブ４２と共に、杯形状のハウジング２４の構成を斜め上方から立体的に及び俯瞰図として示している。
【図面の簡単な説明】
【００２２】
【図１】縮尺どおりでない部分的な側面図として回路装置の実施形態を示す図である。
【図２】回路装置のハウジングの底面の一部分を図１内のII-II線の矢印の方向で見た図である。
【図３】ハウジングの別の構成を図２に類似の部分俯瞰図として示す図である。
【図４】図２内のIV-IV切断線に沿った断面を拡大縮尺で示す図である。
【図５】図２内のV-V切断線に沿った断面を図４に類似の拡大縮尺で示す図である。
【図６】シーリング面要素の構成を示す斜視図である。
【図７】図６に従うシーリング面要素を示す俯瞰図である。
【図８】杯形状のハウジングの構成をその底面を見る方向で示す斜視図である。
【図９】図８に従う杯形状のハウジングを上方から見た図である。
【符号の説明】
【００２３】
１０      回路装置
１２      パワーモジュール
１４      回路板
１６      冷却体
１８      プレス装置
２０      一点鎖線／ネジ
２２      モジュールプレート要素
２４      杯形状のハウジング
２６      竪穴
２８      押付接触要素
３０      杯形状のハウジングの底面／基本面
３２      シーリング面要素
３４      穴
３６      外縁
３８      縁密閉リブ
４０      出口開口部
４２      開口部密閉リブ
【図１】
2008124455.tif 000003
【図２】
2008124455.tif 000004
【図３】
2008124455.tif 000005
【図４】
2008124455.tif 000006
【図５】
2008124455.tif 000007
【図６】
2008124455.tif 000008
【図７】
2008124455.tif 000009
【図８】
2008124455.tif 000010
【図９】
2008124455.tif 000011